(57)【要約】【課題】マトリクス状に配置された複数のドットからなる単位表示領域を複数備える表示手段の表示によって、複雑なキャラクタに関する入力を報知可能なテープ印刷装置を提供する。【解決手段】テープ印刷装置１は、マトリクス状に配置された複数のドット１３からなる単位表示領域１１を複数備える液晶ディスプレイ１０を有する。特殊シンボルの入力に際し、テープ印刷装置１は、選択肢表示領域６０と、相互に隣接する複数の単位表示領域１１からなるシンボル詳細表示領域６５と、を液晶ディスプレイ１０に設定する。代替選択肢表示の一が選択されると、テープ印刷装置１は、表示用特殊シンボルデータ５１に基づいて、代替選択肢表示に対応する特殊シンボルの一部分をシンボル詳細表示領域６５に表示する。表示部分変更操作が行われると、テープ印刷装置１は、シンボル詳細表示領域６５の表示内容を、当該特殊シンボルの他の部分に変更する。【選択図】図９
2010274518.tif 000002
【特許請求の範囲】
【請求項１】
マトリクス状に配置された複数のドットで構成される単位表示領域を複数備える表示手段と、
前記単位表示領域を構成するドット数で表現可能な通常キャラクタと、前記単位表示領域を構成するドット数を超えるドット数により表現可能となる特別キャラクタの入力に用いられる入力手段と、
前記入力手段により入力された通常キャラクタ、特別キャラクタを被記録媒体に印刷する印刷手段と、を備えるテープ印刷装置であって、
前記単位表示領域を構成するドット数からなり、前記通常キャラクタに対応する通常ドットデータと、複数の単位表示領域を構成するドット数からなり、前記特別キャラクタに対応する特別ドットデータと、を格納する記憶手段と、
前記特別キャラクタを入力する場合に、
前記表示手段を構成する単位表示領域の内、相互に隣接する所定の単位表示領域からなる選択内容表示領域と、前記選択内容表示領域を除く単位表示領域からなり、各特別キャラクタに対応する代替選択肢表示が表示される選択肢表示領域と、を設定する表示領域設定手段と、
前記選択肢表示領域に表示された複数の代替選択肢表示から、一の代替選択肢表示を選択する選択手段と、
前記選択手段により選択された代替選択肢表示に対応する特別キャラクタに係る特別ドットデータの一部を構成する部分ドットデータに基づいて、当該特別キャラクタの一部分の描画態様を、前記選択内容表示領域に表示する表示制御手段と、
前記選択内容表示領域に表示されている特別キャラクタの一部分を、当該特別キャラクタを構成する他の部分に変更する表示部分変更手段と、
前記選択手段により選択された代替選択肢表示に対応する特別キャラクタの入力を確定する入力確定手段と、
を備えることを特徴とするテープ印刷装置。
【請求項２】
マトリクス状に配置された複数のドットで構成される単位表示領域を複数備える表示手段と、
前記単位表示領域を構成するドット数で表現可能な通常キャラクタと、或る特定の概念を示す絵記号からなり、前記単位表示領域を構成するドット数を超えるドット数により表現可能となる特別キャラクタの入力に用いられる入力手段と、
前記入力手段により入力された通常キャラクタ、特別キャラクタを被記録媒体に印刷する印刷手段と、を備えるテープ印刷装置であって、
前記単位表示領域を構成するドット数からなり、前記通常キャラクタに対応する通常ドットデータと、前記入力手段により入力される各特別キャラクタの絵記号が示す概念に対応し、前記通常キャラクタにより構成される文字列データと、を格納する記憶手段と、
前記特別キャラクタを入力する場合に、
各特別キャラクタに対応する代替選択肢表示を前記表示手段に表示し、当該表示手段に表示された複数の代替選択肢表示から、一の代替選択肢表示を選択する選択手段と、
前記選択手段により選択された代替選択肢表示に対応する特別キャラクタに係る文字列データと、前記通常ドットデータに基づいて、当該特別キャラクタに係る絵記号が示す概念に対応し、前記通常キャラクタにより構成される文字列を、前記表示手段に表示する表示制御手段と、
前記選択手段により選択された代替選択肢表示に対応する特別キャラクタの入力を確定する入力確定手段と、
を備えることを特徴とするテープ印刷装置。
【請求項３】
マトリクス状に配置された複数のドットで構成される単位表示領域を複数備える表示手段と、
前記単位表示領域を構成するドット数で表現可能な通常キャラクタと、前記単位表示領域を構成するドット数を超えるドット数により表現可能となる特別キャラクタの入力に用いられる入力手段と、
前記入力手段により入力された通常キャラクタ、特別キャラクタを被記録媒体に印刷する印刷手段と、を備えるテープ印刷装置であって、
複数の通常キャラクタからなり、前記単位表示領域を構成するドット数で構成されるとともに、各特別キャラクタに対応する代替選択肢表示データと、前記単位表示領域を構成するドット数からなり、前記通常キャラクタに対応する通常ドットデータと、を格納する記憶手段と、
前記特別キャラクタを入力する場合に、
前記表示手段を構成する単位表示領域の内、相互に隣接する所定の単位表示領域からなる選択肢内容表示領域と、前記選択肢内容表示領域を除く単位表示領域からなり、前記代替選択肢表示データに基づく代替選択肢表示が表示される選択肢表示領域と、を設定する表示領域設定手段と、
前記選択肢表示領域に表示された複数の代替選択肢表示から、一の代替選択肢表示を選択する選択手段と、
前記選択手段により選択された代替選択肢表示に係る代替選択肢表示データと、前記通常ドットデータに基づいて、代替選択肢表示を構成する通常キャラクタを、前記選択肢内容表示領域を構成する単位表示領域に夫々表示する表示制御手段と、
前記選択手段により選択された代替選択肢表示に対応する特別キャラクタの入力を確定する入力確定手段と、
を備えることを特徴とするテープ印刷装置。
【請求項４】
請求項１乃至請求項３の何れかに記載のテープ印刷装置であって、
前記入力手段により入力可能な複数種類の特別キャラクタが列挙された特別キャラクタ一覧表を、前記印刷手段により被記録媒体に印刷する一覧印刷制御手段と、
を備えることを特徴とするテープ印刷装置。
【発明の詳細な説明】
【技術分野】
【０００１】
本発明は、マトリクス状に配置された複数のドットからなる表示手段を有するテープ印刷装置に関する。
【背景技術】
【０００２】
従来、テープ印刷装置においては、入力内容をユーザに報知するため、液晶ディスプレイ等の表示装置が配設されている。これにより、ユーザは、自己の入力内容を確認することができ、所望の印刷結果を取得し得る。
【０００３】
このような表示装置の一つとして、ドット方式表示装置が知られている。当該ドット方式表示装置は、マトリクス状に配置された所定数のドットについて、ドットの表示・非表示を制御することで、所望の内容を表示する。
【０００４】
又、テープ印刷装置の分野において、描線の複雑なシンボルや画数の多い漢字等の入力及び印刷可能なものがある。これらのテープ印刷装置に対して上述のドット方式表示装置を用いた場合、テープ印刷装置は、ドット方式表示装置の解像度によっては、上記シンボル等を十分に表現することができない場合がある。シンボル等を十分に表現できない場合、ユーザは、自らの入力内容を確認することができず、所望の印刷結果の取得が困難になる。
【０００５】
この点、高解像度を有するドット方式表示装置（例えば、グラフィックタイプの液晶ディスプレイ）を用いれば、上記問題点は生じない。しかしながら、安価なドット方式表示装置（例えば、キャラクタータイプの液晶ディスプレイ）の場合、上記シンボル等を十分に表現できず、上記問題点が生じる。この問題点に関する発明として、特許文献１記載の発明が知られている。
【先行技術文献】
【特許文献】
【０００６】
【特許文献１】特開平６−１２０４０号公報
【発明の概要】
【発明が解決しようとする課題】
【０００７】
特許文献１記載のドット方式表示装置は、第１の表示領域と、第２の表示領域を有している。当該第２の表示領域は、第１の表示領域と別個に形成され、第１の表示領域よりも解像度が高く構成されている。そして、当該特許文献１記載のドット方式表示装置は、漢字を表示する際に、第１の表示領域には、「当該漢字を簡略化したドットパターン」を表示し、当該漢字をより高い解像度で第２の表示領域に表示する。これにより、特許文献１記載のドット方式表示装置は、第２の表示領域の表示により、複雑な漢字等を表示し得る。
【０００８】
本明細書は、マトリクス状に配置された複数のドットで構成される単位表示領域を複数備える表示手段における表示によって、複雑なキャラクタが入力されていることを報知可能なテープ印刷装置を提供する。
【課題を解決するための手段】
【０００９】
本発明の請求項１記載のテープ印刷装置は、マトリクス状に配置された複数のドットで構成される単位表示領域を複数備える表示手段と、前記単位表示領域を構成するドット数で表現可能な通常キャラクタと、前記単位表示領域を構成するドット数を超えるドット数により表現可能となる特別キャラクタの入力に用いられる入力手段と、前記入力手段により入力された通常キャラクタ、特別キャラクタを被記録媒体に印刷する印刷手段と、を備えるテープ印刷装置であって、前記単位表示領域を構成するドット数からなり、前記通常キャラクタに対応する通常ドットデータと、複数の単位表示領域を構成するドット数からなり、前記特別キャラクタに対応する特別ドットデータと、を格納する記憶手段と、前記特別キャラクタを入力する場合に、前記表示手段を構成する単位表示領域の内、相互に隣接する所定の単位表示領域からなる選択内容表示領域と、前記選択内容表示領域を除く単位表示領域からなり、各特別キャラクタに対応する代替選択肢表示が表示される選択肢表示領域と、を設定する表示領域設定手段と、前記選択肢表示領域に表示された複数の代替選択肢表示から、一の代替選択肢表示を選択する選択手段と、前記選択手段により選択された代替選択肢表示に対応する特別キャラクタに係る特別ドットデータの一部を構成する部分ドットデータに基づいて、当該特別キャラクタの一部分の描画態様を、前記選択内容表示領域に表示する表示制御手段と、前記選択内容表示領域に表示されている特別キャラクタの一部分を、当該特別キャラクタを構成する他の部分に変更する表示部分変更手段と、前記選択手段により選択された代替選択肢表示に対応する特別キャラクタの入力を確定する入力確定手段と、を備えることを特徴とする。
【００１０】
当該テープ印刷装置は、表示手段と、入力手段と、印刷手段と、記憶手段と、表示領域設定手段と、選択手段と、表示制御手段と、入力確定手段と、を備える。特別キャラクタを入力する場合、当該テープ印刷装置は、表示領域設定手段により、表示手段に対して、選択内容表示領域と、選択肢表示領域を設定する。選択内容表示領域は、相互に隣接する複数の単位表示領域により構成される。選択手段により、選択肢表示領域に表示された代替選択肢表示から一の代替選択肢表示が選択された場合に、当該テープ印刷装置は、対応する特別キャラクタの一部を、部分ドットデータに基づいて、選択内容表示領域に表示する。即ち、当該テープ印刷装置は、特別キャラクタの一部分の表示態様を、複数の単位表示領域を用いて報知する。従って、当該テープ印刷装置は、当該特別キャラクタの一部分を、確実にユーザに伝達することにより、自己の入力内容を把握させ得る。又、当該テープ印刷装置は、表示部分変更手段により、選択内容表示領域に表示されている特別キャラクタの部分を変更する。従って、当該テープ印刷装置は、当該特別キャラクタの全体像を報知することができ、ユーザによる入力内容の把握を十分なものとし得る。そして、入力確定手段により特別キャラクタの入力を確定すると、当該テープ印刷装置は、当該特別キャラクタを印刷手段により被記録媒体に印刷し得る。この結果、当該テープ印刷装置は、確実に、ユーザ所望の特別キャラクタが印刷された被記録媒体を、ユーザに提供し得る。
【００１１】
そして、請求項２記載のテープ印刷装置は、マトリクス状に配置された複数のドットで構成される単位表示領域を複数備える表示手段と、前記単位表示領域を構成するドット数で表現可能な通常キャラクタと、或る特定の概念を示す絵記号からなり、前記単位表示領域を構成するドット数を超えるドット数により表現可能となる特別キャラクタの入力に用いられる入力手段と、前記入力手段により入力された通常キャラクタ、特別キャラクタを被記録媒体に印刷する印刷手段と、を備えるテープ印刷装置であって、前記単位表示領域を構成するドット数からなり、前記通常キャラクタに対応する通常ドットデータと、前記入力手段により入力される各特別キャラクタの絵記号が示す概念に対応し、前記通常キャラクタにより構成される文字列データと、を格納する記憶手段と、前記特別キャラクタを入力する場合に、各特別キャラクタに対応する代替選択肢表示を前記表示手段に表示し、当該表示手段に表示された複数の代替選択肢表示から、一の代替選択肢表示を選択する選択手段と、前記選択手段により選択された代替選択肢表示に対応する特別キャラクタに係る文字列データと、前記通常ドットデータに基づいて、当該特別キャラクタに係る絵記号が示す概念に対応し、前記通常キャラクタにより構成される文字列を、前記表示手段に表示する表示制御手段と、前記選択手段により選択された代替選択肢表示に対応する特別キャラクタの入力を確定する入力確定手段と、を備えることを特徴とする。
【００１２】
当該テープ印刷装置は、表示手段と、入力手段と、印刷手段と、記憶手段と、選択手段と、表示制御手段と、入力確定手段と、を備える。特別キャラクタを入力する場合、当該テープ印刷装置は、各特別キャラクタに対応する代替選択肢表示を表示手段に表示する。そして、選択手段により一の代替選択肢表示が選択された場合、当該テープ印刷装置は、文字列データを構成する通常キャラクタを表示手段に表示することで、選択された特別キャラクタの絵記号が示す概念を、ユーザに報知する。従って、ユーザは、表示された文字列が示す概念から、特別キャラクタの全体像を想起し得る。この結果、当該テープ印刷装置は、当該表示に基づいて、ユーザ自身の入力結果をユーザに確認させることができる。そして、入力確定手段により特別キャラクタの入力を確定すると、当該テープ印刷装置は、当該特別キャラクタを印刷手段により印刷し得る。この結果、当該テープ印刷装置は、確実に、ユーザ所望の特別キャラクタが印刷された被記録媒体を、ユーザに提供し得る。
【００１３】
又、請求項３記載のテープ印刷装置は、マトリクス状に配置された複数のドットで構成される単位表示領域を複数備える表示手段と、前記単位表示領域を構成するドット数で表現可能な通常キャラクタと、前記単位表示領域を構成するドット数を超えるドット数により表現可能となる特別キャラクタの入力に用いられる入力手段と、前記入力手段により入力された通常キャラクタ、特別キャラクタを被記録媒体に印刷する印刷手段と、を備えるテープ印刷装置であって、複数の通常キャラクタからなり、前記単位表示領域を構成するドット数で構成されるとともに、各特別キャラクタに対応する代替選択肢表示データと、前記単位表示領域を構成するドット数からなり、前記通常キャラクタに対応する通常ドットデータと、を格納する記憶手段と、前記特別キャラクタを入力する場合に、前記表示手段を構成する単位表示領域の内、相互に隣接する所定の単位表示領域からなる選択肢内容表示領域と、前記選択肢内容表示領域を除く単位表示領域からなり、前記代替選択肢表示データに基づく代替選択肢表示が表示される選択肢表示領域と、を設定する表示領域設定手段と、前記選択肢表示領域に表示された複数の代替選択肢表示から、一の代替選択肢表示を選択する選択手段と、前記選択手段により選択された代替選択肢表示に係る代替選択肢表示データと、前記通常ドットデータに基づいて、代替選択肢表示を構成する通常キャラクタを、前記選択肢内容表示領域を構成する単位表示領域に夫々表示する表示制御手段と、前記選択手段により選択された代替選択肢表示に対応する特別キャラクタの入力を確定する入力確定手段と、を備えることを特徴とする。
【００１４】
当該テープ印刷装置は、表示手段と、入力手段と、印刷手段と、記憶手段と、表示領域設定手段と、選択手段と、表示制御手段と、入力確定手段と、を備える。特別キャラクタを入力する場合、当該テープ印刷装置は、表示領域設定手段により、表示手段に対して、選択肢内容表示領域と、選択肢表示領域を設定する。選択肢内容表示領域は、相互に隣接する複数の単位表示領域により構成される。選択手段により選択肢表示領域に表示された代替選択肢表示から一の代替選択肢表示が選択された場合、当該テープ印刷装置は、選択された代替選択肢表示を構成する通常キャラクタを、選択肢内容表示領域を構成する単位表示領域に夫々表示する。従って、当該テープ印刷装置は、代替選択肢表示を構成する通常キャラクタの種類を、明確にユーザに報知することができる。これにより、ユーザは、代替選択肢表示を特定することができ、もって、当該代替選択肢表示に対応する特別キャラクタの種類を特定し得る。この結果、当該テープ印刷装置は、ユーザ自身の入力結果をユーザに確認させ得る。そして、入力確定手段により特別キャラクタの入力を確定すると、当該テープ印刷装置は、当該特別キャラクタを印刷手段により印刷し得る。この結果、当該テープ印刷装置は、ユーザ所望の特別キャラクタが印刷された被記録媒体を、ユーザに提供し得る。
【００１５】
そして、請求項４記載のテープ印刷装置は、請求項１乃至請求項３の何れかに記載のテープ印刷装置であって、前記入力手段により入力可能な複数種類の特別キャラクタが列挙された特別キャラクタ一覧表を、前記印刷手段により被記録媒体に印刷する一覧印刷制御手段と、を備えることを特徴とする。
【００１６】
当該テープ印刷装置は、一覧印刷制御手段によって、特別キャラクタ一覧表を、被記録媒体に印刷し得る。特別キャラクタ一覧表には、入力手段により入力可能な複数種類の特別キャラクタが列挙されている。従って、ユーザは、当該テープ印刷装置で入力可能な特別キャラクタの種類を、容易に把握し得る。又、当該特別キャラクタ一覧表において、代替選択肢表示との対応関係を示すように構成すれば、ユーザは、表示手段における代替選択肢表示と、特別キャラクタ一覧表により、自らの入力内容を確認することができる。従って、当該テープ印刷装置は、所望の特別キャラクタが印刷された被記録媒体を、ユーザに提供し得る。
【図面の簡単な説明】
【００１７】
【図１】本発明の一実施形態に係るテープ印刷装置の外観斜視図である。
【図２】テープ印刷装置の制御系を示すブロック図である。
【図３】液晶ディスプレイの構成に関する説明図である。
【図４】ＣＧ−ＲＯＭの記憶内容に関する説明図である。
【図５】表示用ドットデータの一例を示す説明図である。
【図６】テープ印刷装置のメイン制御プログラムに関するフローチャートである。
【図７】特殊シンボルリストの一例を示す説明図である。
【図８】第１実施形態に係る特殊シンボルモード処理プログラムのフローチャートである。
【図９】第１実施形態における液晶ディスプレイの表示内容の一例を示す説明図である。
【図１０】第２実施形態に係る特殊シンボルモード処理プログラムのフローチャートである。
【図１１】第２実施形態における概念文字列特定テーブルの一例を示す説明図である。
【図１２】第２実施形態における液晶ディスプレイの表示内容の一例を示す説明図である。
【図１３】第３実施形態に係る特殊シンボルモード処理プログラムのフローチャートである。
【図１４】第３実施形態における液晶ディスプレイの表示内容の一例を示す説明図である。
【発明を実施するための形態】
【００１８】
以下、本発明に係るテープ印刷装置を、テープ印刷装置１に具体化した実施形態について、図面を参照しつつ詳細に説明する。
【００１９】
（第１実施形態）
先ず、テープ印刷装置１の構成について、図面を参照しつつ詳細に説明する。図１及び図２に示すように、当該テープ印刷装置１は、筐体２と、収納カバー３を備えている。筐体２は、制御部３０等の制御装置や、サーマルヘッド４０、テープ搬送モータ４２等を、内部に収納している。
【００２０】
又、筐体２は、カセット装着部４を有している。カセット装着部４は、テープカセットが装着される部分である。当該テープカセットは、感熱紙等で構成されるテープ（被記録媒体）を巻回状態で収納している。当該カセット装着部４は、開閉自在な収納カバー３によって、その上方を覆われている。収納カバー３は、筐体２の上面後端において回動自在に軸支されており、開閉自在に配設されている。
【００２１】
筐体２は、カセット装着部４の左側方に、テープ排出口５を有している。当該テープ排出口５は、テープカセットから引き出されたテープを排出する。当該テープには、後述するサーマルヘッド４０によって印刷が施され得る。
【００２２】
更に、筐体２は、その上面に、液晶ディスプレイ１０と、キーボード２０と、を備えている。液晶ディスプレイ１０は、所謂、キャラクタータイプの液晶ディスプレイであり、ユーザによる入力内容（例えば、入力された文字、記号、シンボル）等を表示する。液晶ディスプレイ１０の構成については、後に詳細に説明する。そして、キーボード２０は、テープへ印刷される印刷対象の入力や、種々の制御指示等の入力に用いられる。
【００２３】
キーボード２０は、複数の操作キーを備えている。具体的には、キーボード２０は、文字キー２１と、シンボルキー２２と、印刷キー２３と、リターンキー２４と、カーソルキー２５と、プレビューキー２６と、を有している。文字キー２１は、文字（例えば、アルファベット、カタカナ等）を入力する際に操作される。シンボルキー２２は、記号やシンボル（即ち、後述する通常シンボル、特殊シンボルを含む）を入力する際に操作される。印刷キー２３は、各種キーの操作によって入力された内容をテープに印刷する際に操作される。リターンキー２４は、入力内容や選択内容を確定する際に操作される。カーソルキー２５は、液晶ディスプレイ１０上に表示されたカーソル７０等を移動させる際に操作される（図９、図１２、図１４等参照）。当該カーソルキー２５は、上下方向を示すキーを含んでいる。
【００２４】
次に、テープ印刷装置１の制御構成について、図面を参照しつつ詳細に説明する。図２は、テープ印刷装置１の制御系を示すブロック図である。テープ印刷装置１において、制御基板（図示せず）が筐体２内部に配設されている。当該制御基板は、制御部３０、ヘッド駆動回路４１、搬送モータ駆動回路４３、切断用モータ駆動回路４５、液晶駆動回路４６を有している。
【００２５】
制御部３０は、ＣＰＵ３１、ＲＯＭ３２、ＲＡＭ３３、ＥＥＰＲＯＭ３４、ＣＧ−ＲＯＭ３５により構成されている。又、当該制御部３０は、ヘッド駆動回路４１、搬送モータ駆動回路４３、切断用モータ駆動回路４５、液晶駆動回路４６と接続されている。更に、制御部３０は、キーボード２０にも接続されている。
【００２６】
ＣＰＵ３１は、テープ印刷装置１における各種制御の中枢を担う中央演算処理装置である。従って、このＣＰＵ３１は、キーボード２０等からの入力信号及び後述するメイン制御プログラム等（図６、図８等参照）に基づいて、各周辺装置を制御する。
【００２７】
そして、ＲＯＭ３２には、テープ印刷装置１における各種制御プログラムやデータが格納されている。従って、ＲＯＭ３２は、後述するメイン制御プログラム（図６参照）、特殊シンボルモード処理プログラム（図８等参照）を格納している。
【００２８】
又、ＲＡＭ３３は、ＣＰＵ３１での演算結果等を一時的に格納する記憶装置である。このＲＡＭ３３には、キーボード２０の入力により生成された印刷データも格納される。
【００２９】
ＥＥＰＲＯＭ３４は、記憶内容の書込・消去ができる不揮発性メモリである。ＥＥＰＲＯＭ３４は、当該テープ印刷装置１におけるユーザ設定等を示すデータを格納している。
【００３０】
又、ＣＧ−ＲＯＭ３５は、キャラクタージェネレータ用メモリである。当該ＣＧ−ＲＯＭ３５は、液晶ディスプレイ１０に表示される文字や記号をコードデータと対応させてドットパターンで記憶している（図５等参照）。更に、当該ＣＧ−ＲＯＭ３５は、印刷される文字や記号の画像データをコードデータと対応させてドットパターンで記憶している。当該ＣＧ−ＲＯＭ３５の詳細については、後に図面を参照しつつ説明する。
【００３１】
ヘッド駆動回路４１は、ＣＰＵ３１からの制御信号に基づいて、サーマルヘッド４０に駆動信号を供給し、サーマルヘッド４０の駆動態様を制御する回路である。この時、ヘッド駆動回路４１は、サーマルヘッド４０に列設された各発熱素子の通電の有無を制御することで、サーマルヘッド４０全体の発熱態様を制御する。尚、当該サーマルヘッド４０は、後述する単位表示領域１１を構成する一列分のドット１３の数よりも多くの発熱素子を有している。従って、当該テープ印刷装置１は、単位表示領域１１の表示よりも高解像度で、入力内容をテープに印刷し得る。
【００３２】
又、搬送モータ駆動回路４３は、ＣＰＵ３１からの制御信号に基づいてテープ搬送モータ４２に駆動信号を供給し、テープ搬送モータ４２の駆動制御を行う制御回路である。そして、切断用モータ駆動回路４５は、ＣＰＵ３１からの制御信号に基づいて切断用モータ４４に駆動信号を供給し、切断用モータ４４の駆動制御を行う回路である。従って、当該テープ印刷装置１は、切断用モータ４４の駆動制御を行うことにより、所望の位置でテープを切断し得る。
【００３３】
そして、液晶駆動回路４６は、ＣＰＵ３１からの制御信号に基づいて、液晶ディスプレイ１０に対して駆動信号を供給し、液晶ディスプレイ１０の表示制御を行う制御回路である。当該液晶駆動回路４６は、ＣＧ−ＲＯＭ３５に格納されている表示用のドットパターン（図４、図５参照）に基づいて、液晶ディスプレイ１０を構成する各ドット１３（図３等参照）の表示・非表示を制御する。
【００３４】
次に、当該テープ印刷装置１に配設されている液晶ディスプレイ１０の構成について、図面を参照しつつ詳細に説明する。図３に示すように、当該液晶ディスプレイ１０は、複数の単位表示領域１１と、複数のカーソル表示領域１２を有している。具体的には、液晶ディスプレイ１０は、１２個の単位表示領域１１を一列に並べた状態で有している。
【００３５】
尚、図３（Ａ）に示すように、本明細書において、単位表示領域１１は、液晶ディスプレイ１０の左方向から、第１単位表示領域１１Ａ〜第１２単位表示領域１１Ｌという。又、単位表示領域１１は、第１単位表示領域１１Ａ〜第１２単位表示領域１１Ｌの総称を意味する
【００３６】
単位表示領域１１は、３５個のドット１３により構成される。一の単位表示領域１１において、ドット１３は、縦方向に７個、横方向に５個、マトリクス状に配置されている。通常、一の単位表示領域１１は、ＣＧ−ＲＯＭ３５に格納されているドットパターンに従って、３５個のドット１３の表示・非表示を夫々制御することにより、所定の内容を表示する。尚、一の単位表示領域１１は、通常、一文字分のアルファベット等を表示する（図５等参照）。
【００３７】
カーソル表示領域１２は、液晶ディスプレイ１０上にカーソル７０を表示する領域である。当該カーソル表示領域１２は、各単位表示領域１１の下方に形成されている（図３（Ａ）参照）。カーソル表示領域１２は、横方向に並んだ５個のドット１３により構成されている。
【００３８】
続いて、当該テープ印刷装置１におけるＣＧ−ＲＯＭ３５について、図面を参照しつつ詳細に説明する。図４に示すように、ＣＧ−ＲＯＭ３５は、表示用ドットデータ記憶領域３６と、印刷用ドットデータ記憶領域３７と、を有している。
【００３９】
表示用ドットデータ記憶領域３６は、ユーザの入力内容を液晶ディスプレイ１０に表示する際に用いられるドットパターンデータを格納している。具体的には、表示用ドットデータ記憶領域３６は、表示用通常キャラクタデータ５０、表示用特殊シンボルデータ５１、代替選択肢表示データ５２を格納している。表示用通常キャラクタデータ５０等の詳細については、後に図面を参照しつつ説明する。
【００４０】
尚、本明細書において、「通常キャラクタ」とは、一の単位表示領域１１で表現可能な文字、記号を意味する。当該通常キャラクタは、アルファベット、カタカナ等の文字や、算術記号等のシンプルな記号を含む。そして、「特殊シンボル」とは、一の単位表示領域１１のみでは表現できないシンボルマークを意味する。当該特殊シンボルは、図７に示す各シンボルマークを含み、或る特定の概念を示唆する。又、「一の単位表示領域１１のみで表現できない」とは、当該単位表示領域１１において、当該シンボルマークを構成する描線を全て表現できない状態を意味する。
【００４１】
そして、印刷用ドットデータ記憶領域３７は、ユーザの入力内容をテープに印刷する際に用いられるドットパターンデータを格納している。具体的には、印刷用ドットデータ記憶領域３７は、印刷用通常キャラクタデータ５３、印刷用特殊シンボルデータ５４を格納している。
【００４２】
印刷用通常キャラクタデータ５３は、アルファベット、カタカナ、算術記号等に含まれる一文字を印刷する際に用いられるドットパターンを示す。当該印刷用通常キャラクタデータ５３は、サーマルヘッド４０の発熱素子の数に対応し、且つ、単位表示領域１１を構成するドット１３の数よりも多くのドットにより構成されている。又、印刷用通常キャラクタデータ５３は、各通常キャラクタの種類に対応している。従って、印刷用通常キャラクタデータ５３に従って、サーマルヘッド４０の発熱態様を制御することで、当該テープ印刷装置１は、テープ上の一文字分の領域に対して、高解像度の通常キャラクタを印刷し得る。
【００４３】
印刷用特殊シンボルデータ５４は、図７等に示す特殊シンボルを印刷する際に用いられるドットパターンを示す。当該印刷用特殊シンボルデータ５４は、サーマルヘッド４０の発熱素子の数に対応し、且つ、単位表示領域１１を構成するドット１３の数よりも多くのドットにより構成されている。又、印刷用特殊シンボルデータ５４は、各特殊シンボルの種類に対応している。従って、印刷用特殊シンボルデータ５４に従って、サーマルヘッド４０の発熱態様を制御することで、当該テープ印刷装置１は、テープ上の一文字分の領域に対して、高解像度の特殊シンボルを印刷し得る。
【００４４】
次に、テープ印刷装置１における表示用通常キャラクタデータ５０、表示用特殊シンボルデータ５１、代替選択肢表示データ５２について、図面を参照しつつ詳細に説明する。図５は、表示用ドットデータ記憶領域３６に格納されているデータの一例を示す説明図である。
【００４５】
表示用通常キャラクタデータ５０は、アルファベット、カタカナ、算術記号等の通常キャラクタを、液晶ディスプレイ１０に表示する際のドットパターンを示すデータである。当該表示用通常キャラクタデータ５０は、単位表示領域１１を構成する各ドット１３の表示・非表示を規定している（図５（Ａ）参照）。表示用通常キャラクタデータ５０に従って、単位表示領域１１を構成する各ドット１３の表示制御を行うことにより、当該テープ印刷装置１は、単位表示領域１１に通常キャラクタを表示し得る。
【００４６】
表示用特殊シンボルデータ５１は、後述する特殊シンボルモード処理（Ｓ１０）において、上述した特殊シンボル自体の描画態様を、液晶ディスプレイ１０に表示する際のドットパターンを示すデータである。具体的には、当該表示用特殊シンボルデータ５１は、相互に隣接する複数の単位表示領域１１で構成されるシンボル詳細表示領域６５（図９参照）に、特殊シンボルの描画態様を表示する際に参照される。
【００４７】
そして、当該表示用特殊シンボルデータ５１は、マトリクス状（即ち、縦方向１４個×横方向１５個）に並んだ各ドット１３の表示・非表示を規定している（図５（Ｂ）参照）。言い換えると、当該表示用特殊シンボルデータ５１は、マトリクス状に配置された６つの単位表示領域１１を構成する各ドット１３の表示・非表示を規定している。
【００４８】
図５（Ｂ）に示すように、表示用特殊シンボルデータ５１は、シンボル上部表示用データ５１Ａと、シンボル下部表示用データ５１Ｂと、により構成されている。シンボル上部表示用データ５１Ａは、横方向に３個並んだ単位表示領域１１を構成する各ドット１３の表示・非表示を規定している。そして、当該シンボル上部表示用データ５１Ａは、特殊シンボルの上半分の描画態様に対応するドットパターンを示す。従って、シンボル上部表示用データ５１Ａに基づいて、シンボル詳細表示領域６５の表示態様を制御することで、当該テープ印刷装置１は、特殊シンボルの上部における描画態様を表示し得る（図９参照）。
【００４９】
シンボル下部表示用データ５１Ｂは、横方向に３個並んだ単位表示領域１１を構成する各ドット１３の表示・非表示を規定している。そして、当該シンボル下部表示用データ５１Ｂは、特殊シンボルの下半分の描画態様に対応するドットパターンを示す。従って、シンボル下部表示用データ５１Ｂに基づいて、シンボル詳細表示領域６５の表示態様を制御することで、当該テープ印刷装置１は、特殊シンボルの下部における描画態様を表示し得る（図９参照）。
【００５０】
代替選択肢表示データ５２は、後述する特殊シンボルモード処理（Ｓ１０）において、選択肢表示領域６０に表示される代替選択肢表示のドットパターンを示す。一の代替選択肢表示は、一の特殊シンボルに対応している。当該代替選択肢表示は、特殊シンボルが属するカテゴリを示すアルファベット（例えば、「Ａ」〜「Ｈ」）と、カテゴリにおけるシンボルの種類を示す数字（例えば、「１」〜「７」）を横書きしたものを、反時計回りに９０度回転して構成される（図５（Ｃ）、図７等参照）。そして、代替選択肢表示データ５２は、一の単位表示領域１１を構成する各ドット１３の表示・非表示を規定している（図５（Ｃ）参照）。従って、当該代替選択肢表示データ５２に従って、選択肢表示領域６０を構成する単位表示領域１１の各ドット１３の表示制御を行うことにより、テープ印刷装置１は、代替選択肢表示を、選択肢表示領域６０に表示することができる（図９等参照）。
【００５１】
続いて、テープ印刷装置１におけるメイン制御プログラムについて、図面を参照しつつ詳細に説明する。図６は、テープ印刷装置１に係るメイン制御プログラムのフローチャートである。
【００５２】
先ず、Ｓ１において、ＣＰＵ３１は、シンボルキー２２が入力されたか否かを判断する。シンボルキー２２が入力された場合（Ｓ１：ＹＥＳ）、ＣＰＵ３１は、メニュー画面（図示せず）を液晶ディスプレイ１０に表示し、種々のシンボルの入力等を行い得るシンボルモードに移行する。そして、シンボルモードに移行した後、ＣＰＵ３１は、Ｓ３に処理を移行する。一方、シンボルキー２２が入力されていない場合（Ｓ１：ＮＯ）、ＣＰＵ３１は、Ｓ２に処理を移行する。
【００５３】
Ｓ２では、ＣＰＵ３１は、その他の処理を行う。当該Ｓ２では、ＣＰＵ３１は、アルファベットやカタカナの入力・編集処理、確定済の入力内容に基づく印刷処理等を実行する。その他の処理（Ｓ２）の詳細については、既に公知であるため、その説明を省略する。当該その他の処理（Ｓ２）を終了した後、ＣＰＵ３１は、Ｓ１に処理を戻す。
【００５４】
Ｓ３に移行すると、ＣＰＵ３１は、メニュー変更操作が行われたか否かを判断する。メニュー変更操作は、上述したメニュー画面が液晶ディスプレイ１０に表示されている状態（以下、「メニュー画面表示状態」という）におけるカーソルキー２５の左右方向への入力により行われる。メニュー変更操作が行われた場合（Ｓ３：ＹＥＳ）、ＣＰＵ３１は、Ｓ４に処理を移行する。一方、メニュー変更操作が行われていない場合（Ｓ３：ＮＯ）、ＣＰＵ３１は、Ｓ５に処理を移行する。
【００５５】
Ｓ４では、ＣＰＵ３１は、選択メニュー変更処理を実行する。選択メニュー変更処理（Ｓ４）においては、ＣＰＵ３１は、カーソルキー２５の左右方向への入力に基づいて、現在選択されている一のメニューを、他のメニューに変更する。尚、当該テープ印刷装置１におけるメニューは、「通常シンボルモード」「特殊シンボルモード」「一覧印刷モード」の３種類から構成されている。選択メニュー変更処理を終了すると、ＣＰＵ３１は、Ｓ３に処理を戻す。
【００５６】
Ｓ５においては、ＣＰＵ３１は、メニュー確定操作が行われたか否かを判断する。メニュー確定操作は、メニュー画面表示状態におけるリターンキー２４の入力により行われる。メニュー確定操作が行われた場合（Ｓ５：ＹＥＳ）、ＣＰＵ３１は、Ｓ７に処理を移行する。一方、メニュー確定操作が行われていない場合（Ｓ５：ＮＯ）、ＣＰＵ３１は、Ｓ６に処理を移行する。
【００５７】
Ｓ６では、ＣＰＵ３１は、その他の処理を実行する。その他の処理（Ｓ６）では、ＣＰＵ３１は、シンボルモードの終了処理等を行う。当該その他の処理（Ｓ６）を終了すると、ＣＰＵ３１は、Ｓ３に処理を戻す。
【００５８】
Ｓ７に移行すると、ＣＰＵ３１は、メニュー確定操作により確定されたメニュー（以下、「確定メニュー」という）が「通常シンボルモード」であるか否かを判断する。確定メニューが「通常シンボルモード」である場合（Ｓ７：ＹＥＳ）、ＣＰＵ３１は、通常シンボルモード処理（Ｓ８）に処理を移行する。「通常シンボルモード」ではない場合（Ｓ７：ＮＯ）、ＣＰＵ３１は、Ｓ９に処理を移行する。
【００５９】
Ｓ８においては、ＣＰＵ３１は、通常シンボルモード処理を実行する。通常シンボルモード処理（Ｓ８）では、ＣＰＵ３１は、ユーザによるキーボード２０の操作に基づいて、通常シンボルの入力確定処理を行う。ここで、通常シンボルは、一の単位表示領域１１において表現可能な記号又はシンボルを意味する。従って、当該通常シンボルは、算術記号、矢印、通貨記号等を含む。通常シンボルモード処理（Ｓ８）を終了すると、ＣＰＵ３１は、Ｓ１に処理を戻す。
【００６０】
Ｓ９では、ＣＰＵ３１は、確定メニューが「特殊シンボルモード」であるか否かを判断する。確定メニューが「特殊シンボルモード」である場合（Ｓ９：ＹＥＳ）、ＣＰＵ３１は、特殊シンボルモード処理（Ｓ１０）に処理を移行する。一方、確定メニューが「特殊シンボルモード」ではない場合（Ｓ９：ＮＯ）、ＣＰＵ３１は、一覧印刷モード処理（Ｓ１１）に処理を移行する。
【００６１】
Ｓ１０に移行すると、ＣＰＵ３１は、特殊シンボルモード処理を実行する。特殊シンボルモード処理（Ｓ１０）では、ＣＰＵ３１は、後述する特殊シンボルモード処理プログラム（図８等参照）を実行する。ここで、特殊シンボルは、一の単位表示領域１１を構成するドット１３では表現できず、複数の単位表示領域１１を構成するドット１３により表現可能となるシンボル（絵記号）を意味する。当該特殊シンボルは、図７等に示すように、人物、動物、施設等をイラストで示す絵記号を含む。特殊シンボルモード処理（Ｓ１０）の詳細については、後に図面を参照しつつ説明する。特殊シンボルモード処理（Ｓ１０）を終了すると、ＣＰＵ３１は、Ｓ１に処理を戻す。
【００６２】
Ｓ１１においては、ＣＰＵ３１は、一覧印刷モード処理を実行する。一覧印刷モード処理（Ｓ１１）では、ＣＰＵ３１は、印刷用ドットデータ記憶領域３７に格納されている各印刷用特殊シンボルデータ５４に基づいて、特殊シンボルリスト１００をテープに印刷する。図７に示すように、特殊シンボルリスト１００は、当該テープ印刷装置１で印刷出力可能な全ての特殊シンボル（８４種類）をテープに印刷することにより生成される。特殊シンボルリスト１００を印刷した後、ＣＰＵ３１は、一覧印刷モード処理（Ｓ１１）を終了し、Ｓ１に処理を戻す。
【００６３】
図７に示すように、特殊シンボルリスト１００において、特殊シンボルは、カテゴリ毎に分類されて印刷されている。又、特殊シンボルリスト１００において、特殊シンボルは、同一カテゴリ内の種類を示す数字順に左から並んで印刷される（図７、図１１等参照）。従って、特殊シンボルリスト１００と、液晶ディスプレイ１０上の代替選択肢表示（例えば、「Ａ３」等）を参照すれば、ユーザは、代替選択肢表示に対応する特殊シンボルの種類を特定し得る。又、特殊シンボルリスト１００には、印刷し得る全ての特殊シンボルが列挙されているので、ユーザは、特殊シンボルリスト１００に基づき、所望の特殊シンボルの有無を把握し得る。
【００６４】
次に、第１実施形態に係る特殊シンボルモード処理プログラムについて、図面を参照しつつ詳細に説明する。図８は、第１実施形態に係る特殊シンボルモード処理プログラムのフローチャートである。
【００６５】
特殊シンボルモード処理（Ｓ１０）に移行すると、まず、ＣＰＵ３１は、特殊シンボル表示処理（Ｓ２１）を実行する。特殊シンボル表示処理（Ｓ２１）では、ＣＰＵ３１は、まず、選択肢表示領域６０と、シンボル詳細表示領域６５と、を液晶ディスプレイ１０上に設定する。選択肢表示領域６０は、或るカテゴリに属する特殊シンボルに対応する代替選択肢表示を表示する領域である。シンボル詳細表示領域６５は、選択肢表示領域６０において、カーソル７０により選択されている特殊シンボルの一部に関する描画態様を表示する領域である。
【００６６】
選択肢表示領域６０、シンボル詳細表示領域６５を設定した後、ＣＰＵ３１は、選択肢表示領域６０において、代替選択肢表示データ５２に基づいて、代替選択肢表示を表示する。この時、ＣＰＵ３１は、カーソル表示領域１２において、カーソル７０を表示し、当該カーソル７０により選択されている代替選択肢表示に対応する特殊シンボルの一部に係る描画態様を、シンボル詳細表示領域６５に表示する。特殊シンボル表示処理（Ｓ２１）を終了すると、ＣＰＵ３１は、Ｓ２２に処理を移行する。
【００６７】
ここで、選択肢表示領域６０、シンボル詳細表示領域６５について、図面を参照しつつ詳細に説明する。図９に示すように、選択肢表示領域６０は、液晶ディスプレイ１０中の第１単位表示領域１１Ａ〜第９単位表示領域１１Ｉにより構成される。選択肢表示領域６０を構成する一の単位表示領域１１は、一の代替選択肢表示（例えば、「Ａ１」等）を表示する。例えば、図９に示す場合、選択肢表示領域６０を構成する第１単位表示領域１１Ａ〜第７単位表示領域１１Ｇには、カテゴリ「Ａ」に属する特殊シンボルの代替選択肢表示（例えば、「Ａ１」〜「Ａ７」）が、対応する代替選択肢表示データ５２に基づいて表示されている。
【００６８】
そして、シンボル詳細表示領域６５は、液晶ディスプレイ１０中の第１０単位表示領域１１Ｊ〜第１２単位表示領域１１Ｌにより構成される（図９参照）。シンボル詳細表示領域６５は、シンボル上部表示用データ５１Ａ又はシンボル下部表示用データ５１Ｂに基づいて、選択された特殊シンボルの上部又は下部の描画態様を表示する。図９に示す場合、代替選択肢表示「Ａ３」が、カーソル７０により選択されている。従って、シンボル詳細表示領域６５は、当該代替選択肢表示「Ａ３」に対応する特殊シンボル（即ち、骸骨マーク）に係る表示用特殊シンボルデータ５１のシンボル上部表示用データ５１Ａに基づいて、当該特殊シンボルの上部に係る描画態様を表示する。
【００６９】
Ｓ２２においては、ＣＰＵ３１は、キー入力があったか否かを判断する。キー入力があった場合（Ｓ２２：ＹＥＳ）、ＣＰＵ３１は、Ｓ２３に処理を移行する。一方、キー入力がなかった場合（Ｓ２２：ＮＯ）、ＣＰＵ３１は、Ｓ２１に処理を戻す。
【００７０】
Ｓ２３では、ＣＰＵ３１は、選択変更操作が行われたか否かを判断する。選択変更操作は、特殊シンボルモードにおけるカーソルキー２５の左右方向への入力により行われる。選択変更操作が行われた場合（Ｓ２３：ＹＥＳ）、ＣＰＵ３１は、Ｓ２４に処理を移行する。一方、選択変更操作が行われていない場合（Ｓ２３：ＮＯ）、ＣＰＵ３１は、Ｓ２５に処理を移行する。
【００７１】
Ｓ２４に移行すると、ＣＰＵ３１は、選択対象変更処理を実行する。選択対象変更処理（Ｓ２４）では、ＣＰＵ３１は、カーソルキー２５の操作に基づいて、現在選択されている特殊シンボル（例えば、「Ａ３」に係る特殊シンボル）を、他の特殊シンボル（例えば、「Ａ２」又は「Ａ４」に係る特殊シンボル）に変更する。選択されている特殊シンボル（以下、対象特殊シンボルという）を変更した後、ＣＰＵ３１は、選択対象変更処理を終了し、Ｓ２１に処理を戻す。
【００７２】
Ｓ２５においては、ＣＰＵ３１は、表示部分変更操作が行われたか否かを判断する。表示部分変更操作は、特殊シンボルモードにおけるカーソルキー２５の上下方向への入力により行われる。表示部分変更操作が行われた場合（Ｓ２５：ＹＥＳ）、ＣＰＵ３１は、Ｓ２６に処理を移行する。一方、表示部分変更操作が行われていない場合（Ｓ２５：ＮＯ）、ＣＰＵ３１は、Ｓ２７に処理を移行する。
【００７３】
Ｓ２６では、ＣＰＵ３１は、表示部分変更処理を実行する。表示部分変更処理（Ｓ２６）においては、ＣＰＵ３１は、シンボル詳細表示領域６５に表示されている対象特殊シンボルの一部を、当該対象特殊シンボルの他の部分に変更する。具体的には、ＣＰＵ３１は、シンボル詳細表示領域６５の表示に用いるドットパターンを、対象特殊シンボルのシンボル上部表示用データ５１Ａ、シンボル下部表示用データ５１Ｂの内、現在用いられていないデータに変更する。
【００７４】
この表示部分変更処理（Ｓ２６）を実行することにより、シンボル詳細表示領域６５の表示は、対象特殊シンボルの上部又は下部の何れかに変更される。例えば、図９に示すように、シンボル詳細表示領域６５は、対象特殊シンボルである骸骨マークの上部又は下部の何れかを表示する。従って、ユーザは、自己の操作により表示部分を変更することで、対象特殊シンボルの全体像を段階的に把握し得る。これにより、当該テープ印刷装置１は、ユーザ所望の特殊シンボルの入力を可能とし、所望の印刷結果を提供し得る。
【００７５】
Ｓ２７に移行すると、ＣＰＵ３１は、特殊シンボル確定操作が行われたか否かを判断する。特殊シンボル確定操作は、特殊シンボルモードにおけるリターンキー２４の入力により行われる。特殊シンボル確定操作が行われた場合（Ｓ２７：ＹＥＳ）、ＣＰＵ３１は、Ｓ２８に処理を移行する。一方、特殊シンボル確定操作が行われていない場合（Ｓ２７：ＮＯ）、ＣＰＵ３１は、Ｓ２９に処理を移行する。
【００７６】
Ｓ２８においては、ＣＰＵ３１は、入力確定処理を実行する。入力確定処理（Ｓ２８）では、ＣＰＵ３１は、現在の対象特殊シンボルの入力を確定する。これにより、対象特殊シンボルに係る印刷データが、当該テープ印刷装置１における印刷データの所定位置に追加される。入力確定処理を終了すると、ＣＰＵ３１は、特殊シンボルモード処理プログラムを終了する。
【００７７】
Ｓ２９では、ＣＰＵ３１は、その他の処理を実行する。その他の処理（Ｓ２９）では、ＣＰＵ３１は、ユーザによるキーボード２０の入力操作に基づいて、選択肢表示領域６０に表示されている特殊シンボルのカテゴリ（例えば、図９の場合、カテゴリ「Ａ」）を変更する。その他の処理（Ｓ２９）を終了すると、ＣＰＵ３１は、Ｓ２１に処理を戻す。
【００７８】
以上説明したように、第１実施形態に係るテープ印刷装置１は、特殊シンボルを入力する場合、選択肢表示領域６０と、シンボル詳細表示領域６５を、液晶ディスプレイ１０上に設定する。シンボル詳細表示領域６５は、第１０単位表示領域１１Ｊ〜第１２単位表示領域１１Ｌにより構成される。選択肢表示領域６０に表示された代替選択肢表示から、一の代替選択肢表示がカーソル７０により選択されると、当該テープ印刷装置１は、選択された対象特殊シンボルの一部を、シンボル詳細表示領域６５に表示する（図９参照）。従って、当該テープ印刷装置１は、ユーザにより選択された特殊シンボルの一部の描画態様を、確実にユーザに報知する。この結果、ユーザは、シンボル詳細表示領域６５の表示により、特殊シンボルに係る自己の入力内容を把握し得る。又、当該テープ印刷装置１は、ユーザによる表示部分変更操作に基づいて、シンボル詳細表示領域６５に表示されている特殊シンボルの一部を、当該特殊シンボルの他の部分に変更する（Ｓ２６）。従って、当該テープ印刷装置１は、シンボル詳細表示領域６５において、特殊シンボルの全体像をユーザに段階的に報知し得る。この結果、ユーザは、特殊シンボルに係る自己の入力内容を確実に把握し得る。入力確定操作により特殊シンボルの入力が確定されると（Ｓ２８）、当該テープ印刷装置１は、ユーザ所望の特殊シンボルを含む印刷結果をユーザに提供する（Ｓ２）。この結果、当該テープ印刷装置１は、ユーザ所望の特殊シンボルを含む印刷結果を、ユーザに提供し得る。
【００７９】
又、当該テープ印刷装置１は、一覧印刷モード処理（Ｓ１１）において、特殊シンボルリスト１００を出力し得る（図７参照）。当該特殊シンボルリスト１００は、テープ印刷装置１で印刷し得る全ての特殊シンボルの描画態様と、各特殊シンボルに係る代替選択肢表示との対応関係を示す。当該特殊シンボルリスト１００に基づいて、ユーザは、当該テープ印刷装置１により印刷し得る特殊シンボルの種類を容易に把握し得る。又、ユーザは、当該特殊シンボルリスト１００に基づいて、選択肢表示領域６０に表示される代替選択肢表示と、各特殊シンボルとの対応関係を把握することができる。即ち、ユーザは、所望の特殊シンボルに対応する代替選択肢表示を選択入力し得る。従って、当該テープ印刷装置１によれば、ユーザは、特殊シンボルリスト１００に基づいて、所望の特殊シンボルを含む印刷結果を確実に取得し得る。
【００８０】
（第２実施形態）
次に、上述した第１実施形態とは異なる実施形態（第２実施形態）に係るテープ印刷装置１ついて、図面を参照しつつ詳細に説明する。この第２実施形態に係るテープ印刷装置１は、上述した第１実施形態に係るテープ印刷装置１と基本的に同様の構成である。具体的には、第２実施形態に係るテープ印刷装置１は、第１実施形態に係るテープ印刷装置１と、ＲＯＭ３２の記憶内容と、特殊シンボルモード処理プログラムの内容が相違している。従って、第２実施形態においては、上記相違点について図面を参照しつつ詳細に説明する。
【００８１】
第２実施形態においても、特殊シンボルモード処理（Ｓ１０）に移行すると、ＣＰＵ３１は、特殊シンボルモード処理プログラム（図１０参照）を実行する。図１０は、第２実施形態に係る特殊シンボルモード処理プログラムのフローチャートである。
【００８２】
図１０に示すように、ＣＰＵ３１は、まず、特殊シンボル表示処理を実行する（Ｓ３１）。特殊シンボル表示処理（Ｓ３１）では、ＣＰＵ３１は、まず、選択肢表示領域６０と、選択肢内容表示領域８０と、を液晶ディスプレイ１０上に設定する（図１２参照）。選択肢表示領域６０は、第１実施形態と同様に、或るカテゴリに属する特殊シンボルに対応する代替選択肢表示を表示する領域である。選択肢内容表示領域８０は、選択肢表示領域６０において、カーソル７０により選択されている代替選択肢表示を構成する通常キャラクタ（例えば、「Ａ」「３」）を表示する領域である。
【００８３】
選択肢表示領域６０、選択肢内容表示領域８０を設定した後、ＣＰＵ３１は、選択肢表示領域６０において、代替選択肢表示データ５２に基づいて、代替選択肢表示を表示する。この時、ＣＰＵ３１は、カーソル表示領域１２において、カーソル７０を表示し、当該カーソル７０により選択されている代替選択肢表示を特定する。そして、ＣＰＵ３１は、当該代替選択肢表示を構成する文字に係る表示用通常キャラクタデータ５０に基づいて、当該代替選択肢表示を構成する文字を、選択肢内容表示領域８０に表示する。特殊シンボル表示処理（Ｓ３１）を終了すると、ＣＰＵ３１は、Ｓ３２に処理を移行する。
【００８４】
Ｓ３２では、ＣＰＵ３１は、キー入力があったか否かを判断する。キー入力があった場合（Ｓ３２：ＹＥＳ）、ＣＰＵ３１は、Ｓ３３に処理を移行する。一方、キー入力がなかった場合（Ｓ３２：ＮＯ）、ＣＰＵ３１は、Ｓ３１に処理を戻す。
【００８５】
Ｓ３３においては、ＣＰＵ３１は、選択変更操作が行われたか否かを判断する。選択変更操作が行われた場合（Ｓ３３：ＹＥＳ）、ＣＰＵ３１は、Ｓ３４に処理を移行する。一方、選択変更操作が行われていない場合（Ｓ３３：ＮＯ）、ＣＰＵ３１は、Ｓ３５に処理を移行する。
【００８６】
Ｓ３４に移行すると、ＣＰＵ３１は、選択対象変更処理を実行する。当該選択対象変更処理（Ｓ３４）の処理内容は、第１実施形態における選択対象変更処理（Ｓ２４）と同様である。選択対象変更処理を終了すると、ＣＰＵ３１は、Ｓ３１に処理を戻す。
【００８７】
Ｓ３５では、ＣＰＵ３１は、プレビュー操作が行われたか否かを判断する。プレビュー操作は、特殊シンボルモードにおけるプレビューキー２６の入力により行われる。プレビュー操作が行われた場合（Ｓ３５：ＹＥＳ）、ＣＰＵ３１は、Ｓ３６に処理を移行する。一方、プレビュー操作が行われていない場合（Ｓ３５：ＮＯ）、ＣＰＵ３１は、Ｓ３７に処理を移行する。
【００８８】
Ｓ３６においては、ＣＰＵ３１は、対応文字列表示処理を実行する。対応文字列表示処理（Ｓ３６）では、ＣＰＵ３１は、対象特殊シンボルにより表現される特定の概念を示す文字列（以下、概念文字列という）を、液晶ディスプレイ１０に表示する。具体的には、ＣＰＵ３１は、まず、カーソル７０により選択されている代替選択肢表示に基づいて、対象特殊シンボルの種類を特定する。次に、ＣＰＵ３１は、当該対象特殊シンボルの種類と、文字列特定テーブル（図１１参照）に基づいて、当該対象特殊シンボルの概念文字列を特定する。その後、ＣＰＵ３１は、特定した概念文字列を構成する文字（通常キャラクタ）に係る表示用通常キャラクタデータ５０に基づいて、液晶ディスプレイ１０に、一定時間（例えば、２、３秒）、概念文字列を表示する（図１２参照）。対応文字列表示処理（Ｓ３６）を終了すると、ＣＰＵ３１は、Ｓ３１に処理を戻す。
【００８９】
ここで、第２実施形態に係るテープ印刷装置１において、ＲＯＭ３２は、概念文字列特定テーブルを格納している。図１１に示すように、概念文字列特定テーブルは、各特殊シンボルと、当該特殊シンボルが表現する概念を示す概念文字列の対応関係を示している。例えば、代替選択肢表示「Ａ３」に係る特殊シンボルは、所謂「骸骨マーク」である（図５（Ｂ）、図７、図９参照）。つまり、当該特殊シンボルは、「骸骨（Ｓｋｅｌｅｔｏｎ）」という概念を示す。従って、概念文字列特定テーブルにおいて、当該「Ａ３」に係る特殊シンボルは、「Ｓｋｅｌｅｔｏｎ」という概念文字列と対応付けられている。このように、対象特殊シンボルと概念文字列特定テーブル（図１１参照）に基づいて、ＣＰＵ３１は、対象特殊シンボルに対応する概念文字列を特定することができ、当該概念文字列を液晶ディスプレイ１０に表示し得る。
【００９０】
Ｓ３７に移行すると、ＣＰＵ３１は、特殊シンボル確定操作が行われたか否かを判断する。特殊シンボル確定操作が行われた場合（Ｓ３７：ＹＥＳ）、ＣＰＵ３１は、Ｓ３８に処理を移行する。一方、特殊シンボル確定操作が行われていない場合（Ｓ３７：ＮＯ）、ＣＰＵ３１は、Ｓ３９に処理を移行する。
【００９１】
Ｓ３８では、ＣＰＵ３１は、入力確定処理を実行する。当該入力確定処理（Ｓ３８）の処理内容は、第１実施形態における入力確定処理（Ｓ２８）と同様である。入力確定処理（Ｓ３８）を終了すると、ＣＰＵ３１は、特殊シンボルモード処理プログラムを終了する。
【００９２】
Ｓ３９においては、ＣＰＵ３１は、その他の処理を実行する。その他の処理（Ｓ３９）は、第１実施形態におけるその他の処理（Ｓ２９）と同様、特殊シンボルのカテゴリに関する変更処理を行う。その他の処理（Ｓ３９）を終了すると、ＣＰＵ３１は、Ｓ３１に処理を戻す。
【００９３】
以上、説明したように、第２実施形態に係るテープ印刷装置１は、特殊シンボルを入力する場合、選択肢表示領域６０と、選択肢内容表示領域８０を設定する。選択肢表示領域６０に表示された代替選択肢表示から、一の代替選択肢表示がカーソル７０により選択され、プレビュー操作が行われると、当該テープ印刷装置１は、対象特殊シンボルと概念文字列特別テーブル（図１１）に基づいて、対象特殊シンボルに対応する概念文字列を特定する。そして、当該テープ印刷装置１は、表示用通常キャラクタデータ５０に基づいて、通常キャラクタにより構成される概念文字列を、液晶ディスプレイ１０に表示する（Ｓ３６）。従って、ユーザは、液晶ディスプレイ１０に表示された概念文字列から、対象特殊シンボルが示す概念を把握し得る。そして、ユーザは、概念文字列が示す概念から、対象特殊シンボルの全体像を想起し得る。この結果、当該テープ印刷装置１は、液晶ディスプレイ１０における概念文字列の表示に基づいて、特殊シンボルに係るユーザ自身の入力内容を、ユーザに確認させ得る。又、当該テープ印刷装置１は、ユーザ所望の特殊シンボルを含む印刷結果を、ユーザに提供し得る（Ｓ２）。
【００９４】
又、第２実施形態に係るテープ印刷装置１は、一覧印刷モード処理（Ｓ１１）において、特殊シンボルリスト１００を出力し得る（図７参照）。従って、当該テープ印刷装置１によれば、第１実施形態と同様に、ユーザは、特殊シンボルリスト１００に基づいて、当該テープ印刷装置１により印刷し得る特殊シンボルの種類を容易に把握し得る。又、当該テープ印刷装置１によれば、特殊シンボルリスト１００を参照することにより、ユーザは、所望の特殊シンボルに対応する代替選択肢表示を選択入力し得る。従って、当該テープ印刷装置１によれば、ユーザは、特殊シンボルリスト１００に基づいて、所望の特殊シンボルを含む印刷結果を確実に取得し得る。
【００９５】
（第３実施形態）
次に、上述した第１実施形態、第２実施形態とは異なる実施形態（第３実施形態）に係るテープ印刷装置１ついて、図面を参照しつつ詳細に説明する。この第３実施形態に係るテープ印刷装置１は、上述した第１実施形態に係るテープ印刷装置１と基本的に同様の構成である。具体的には、第３実施形態に係るテープ印刷装置１は、第１実施形態に係るテープ印刷装置１と、特殊シンボルモード処理プログラムの内容が相違している。従って、第３実施形態においては、上記相違点について図面を参照しつつ詳細に説明する。
【００９６】
第３実施形態においても、特殊シンボルモード処理（Ｓ１０）に移行すると、ＣＰＵ３１は、特殊シンボルモード処理プログラム（図１３参照）を実行する。図１３は、第３実施形態に係る特殊シンボルモード処理プログラムのフローチャートである。
【００９７】
図１３に示すように、ＣＰＵ３１は、まず、特殊シンボル表示処理を実行する（Ｓ４１）。特殊シンボル表示処理（Ｓ４１）の処理内容は、第２実施形態における特殊シンボル表示処理（Ｓ３１）と同様の処理である。即ち、ＣＰＵ３１は、選択肢表示領域６０と、選択肢内容表示領域８０を、液晶ディスプレイ１０に設定し、複数の代替選択肢表示を、選択肢表示領域６０に表示する。そして、カーソル７０により一の代替選択肢表示が選択されると、ＣＰＵ３１は、当該代替選択肢表示を構成する文字（例えば、「Ａ３」等）を特定する。その後、ＣＰＵ３１は、当該代替選択肢表示を構成する文字に係る表示用通常キャラクタデータ５０に基づいて、当該代替選択肢表示を構成する文字を、通常キャラクタによって選択肢内容表示領域８０に表示する。特殊シンボル表示処理（Ｓ４１）を終了すると、ＣＰＵ３１は、Ｓ４２に処理を移行する。
【００９８】
Ｓ４２に移行すると、ＣＰＵ３１は、キー入力があったか否かを判断する。キー入力があった場合（Ｓ４２：ＹＥＳ）、ＣＰＵ３１は、Ｓ４３に処理を移行する。一方、キー入力がなかった場合（Ｓ４２：ＮＯ）、ＣＰＵ３１は、Ｓ４１に処理を戻す。
【００９９】
Ｓ４３においては、ＣＰＵ３１は、選択変更操作が行われたか否かを判断する。選択変更操作が行われた場合（Ｓ４３：ＹＥＳ）、ＣＰＵ３１は、Ｓ４４に処理を移行する。一方、選択変更操作が行われていない場合（Ｓ４３：ＮＯ）、ＣＰＵ３１は、Ｓ４５に処理を移行する。
【０１００】
Ｓ４４では、ＣＰＵ３１は、選択対象変更処理を実行する。当該選択対象変更処理（Ｓ４４）の処理は、第１実施形態における選択対象変更処理（Ｓ２４）と同様の処理である。選択対象変更処理を終了すると、ＣＰＵ３１は、Ｓ４１に処理を戻す。
【０１０１】
Ｓ４５に移行すると、ＣＰＵ３１は、特殊シンボル確定操作が行われたか否かを判断する。特殊シンボル確定操作が行われた場合（Ｓ４５：ＹＥＳ）、ＣＰＵ３１は、Ｓ４６に処理を移行する。一方、特殊シンボル確定操作が行われていない場合（Ｓ４５：ＮＯ）、ＣＰＵ３１は、Ｓ４７に処理を移行する。
【０１０２】
Ｓ４６では、ＣＰＵ３１は、入力確定処理を実行する。当該入力確定処理（Ｓ４６）の処理内容は、第１実施形態における入力確定処理（Ｓ２８）と同様である。入力確定処理（Ｓ４６）を終了すると、ＣＰＵ３１は、特殊シンボルモード処理プログラムを終了する。
【０１０３】
Ｓ４７においては、ＣＰＵ３１は、その他の処理を実行する。その他の処理（Ｓ４７）は、第１実施形態におけるその他の処理（Ｓ２９）と同様、特殊シンボルのカテゴリに関する変更処理を行う。その他の処理（Ｓ４７）を終了すると、ＣＰＵ３１は、Ｓ４１に処理を戻す。
【０１０４】
上述したように、選択対象変更処理（Ｓ４４）により選択中の代替選択肢表示が変更されると、ＣＰＵ３１は、特殊シンボル表示処理（Ｓ４１）に処理を戻す。従って、当該テープ印刷装置１は、選択肢内容表示領域８０の表示内容を、新たに選択された代替選択肢表示に係る文字に変更する。例えば、カーソル７０による選択対象を代替選択肢表示「Ａ１」から「Ａ２」に変更した場合、液晶ディスプレイ１０の表示態様は、図１４（Ａ）の状態から図１４（Ｂ）に示す状態に変更される。即ち、選択肢内容表示領域８０の表示態様を視認することで、ユーザは、代替選択肢表示を明確に把握することができ、所望の入力を確実に行い得る。
【０１０５】
又、その他の処理（Ｓ４７）により選択肢表示領域６０に表示される代替選択肢表示のカテゴリが変更されると、ＣＰＵ３１は、特殊シンボル表示処理（Ｓ４１）に処理を戻す。従って、当該テープ印刷装置１は、選択肢表示領域６０、選択肢内容表示領域８０の表示内容を、変更されたカテゴリに係る代替選択肢表示を構成する文字に変更する。例えば、代替選択肢表示「Ａ１」を選択している状態から、当該カテゴリを「Ｂ」に変更した場合、液晶ディスプレイ１０の表示態様は、図１４（Ａ）の状態から図１４（Ｃ）に示す状態に変更される。即ち、代替選択肢表示のカテゴリを変更した場合においても、ユーザは、選択肢内容表示領域８０の表示態様を視認することで、カテゴリが変更された場合であっても、代替選択肢表示を明確に把握することができ、所望の入力を確実に行い得る。
【０１０６】
以上、説明したように、第３実施形態に係るテープ印刷装置１は、特殊シンボルを入力する場合、選択肢表示領域６０と、選択肢内容表示領域８０を、液晶ディスプレイ１０上に設定する。選択肢内容表示領域８０は、第１０単位表示領域１１Ｊ〜第１２単位表示領域１１Ｌにより構成される（図１４参照）。選択肢表示領域６０から一の代替選択肢表示が選択されると、当該テープ印刷装置１は、当該代替選択肢表示を構成する文字を、表示用通常キャラクタデータ５０に基づいて、選択肢内容表示領域８０に表示する。これにより、代替選択肢表示を構成する文字を明確に把握することができるので、ユーザは、代替選択肢表示を特定することができ、もって、当該代替選択肢表示に対応する特殊シンボルを特定することができる。この結果、当該テープ印刷装置１は、所望の特殊シンボルの入力をユーザに行わせることができ、ユーザ所望の特殊シンボルを含む印刷結果を、確実に提供することができる。
【０１０７】
又、第３実施形態に係るテープ印刷装置１は、一覧印刷モード処理（Ｓ１１）において、特殊シンボルリスト１００を出力し得る（図７参照）。従って、当該テープ印刷装置１によれば、第１実施形態、第２実施形態と同様に、ユーザは、特殊シンボルリスト１００に基づいて、当該テープ印刷装置１により印刷し得る特殊シンボルの種類を容易に把握し得る。又、当該テープ印刷装置１によれば、特殊シンボルリスト１００を参照することにより、ユーザは、所望の特殊シンボルに対応する代替選択肢表示を選択入力し得る。従って、当該テープ印刷装置１によれば、ユーザは、特殊シンボルリスト１００に基づいて、所望の特殊シンボルを含む印刷結果を確実に取得し得る。
【０１０８】
以上、実施形態に基づき本発明を説明したが、本発明は上述した実施形態に何ら限定されるものではなく、本発明の趣旨を逸脱しない範囲内で種々の改良変更が可能である。
例えば、第１実施形態において、シンボル詳細表示領域６５には、対象特殊シンボルの上部、下部の２段階で表示する構成であったが、この態様に限定するものではない。即ち、より多段階（例えば、上段、中段、下段の３段階等）で表示するように構成することも可能である。又、シンボル詳細表示領域６５を構成する単位表示領域１１は、相互に隣接していればよく、第１０単位表示領域１１Ｊ〜第１２単位表示領域１１Ｌに限定されるものではない。又、シンボル詳細表示領域６５を構成する単位表示領域１１の数は、３つに限定されるものではない。
【０１０９】
又、第２実施形態において、概念文字列は、アルファベットにより構成されていたが、この態様に限定されるものではない。例えば、概念文字列をカタカナにより構成してもよいし、ひらがなで構成することも可能である。
【０１１０】
更に、上述した各実施形態において、特殊シンボルリスト１００は、全ての特殊シンボルを列挙したもののみであったが、この態様に限定されるものではない。或る特定のカテゴリに属する特殊シンボルリスト（例えば、カテゴリ「Ａ」に属する特殊シンボルのみが印刷された特殊シンボルリスト）を出力する構成を追加してもよい。
【符号の説明】
【０１１１】
１      テープ印刷装置
１０    液晶ディスプレイ
１１    単位表示領域
２０    キーボード
３０    制御部
３１    ＣＰＵ
３２    ＲＯＭ
３５    ＣＧ−ＲＯＭ
３６    表示用ドットデータ記憶領域
４０    サーマルヘッド
４６    液晶駆動回路
５０    表示用通常キャラクタデータ
５１    表示用特殊シンボルデータ
５２    特殊シンボル選択肢データ
６０    選択肢表示領域
６５    シンボル詳細表示領域
８０    選択肢内容表示領域
１００  特殊シンボルリスト
【図１】
2010274518.tif 000003
【図２】
2010274518.tif 000004
【図３】
2010274518.tif 000005
【図４】
2010274518.tif 000006
【図５】
2010274518.tif 000007
【図６】
2010274518.tif 000008
【図７】
2010274518.tif 000009
【図８】
2010274518.tif 000010
【図９】
2010274518.tif 000011
【図１０】
2010274518.tif 000012
【図１１】
2010274518.tif 000013
【図１２】
2010274518.tif 000014
【図１３】
2010274518.tif 000015
【図１４】
2010274518.tif 000016